【事件の表示】
　特許第３０５８１６６号「撮像装置」の特許請求の範囲第１項ないし第３項に係る特許に対する特許異議の申立てについて、次のとおり決定する。
【結　論】
　訂正を認める。
　特許第３０５８１６６号の特許請求の範囲第１項ないし第３項に係る特許を維持する。
【理　由】
［１］手続の経緯
　特許第３０５８１６６号の特許請求の範囲第１項ないし第３項に係る発明は、昭和５９年１０月１９日に特許出願された特願昭５９−２１８３５６の分割出願として特許出願され、平成１２年４月２１日にその特許の設定登録がなされ、その後、島田洋（以下、「申立人」という。）より特許異議の申立てがなされ、平成１３年３月２３日付けで取消理由通知がなされ、その指定期間内である平成１３年６月１日に訂正請求がなされたものである。
　
［２］訂正の適否についての判断
　訂正事項は、特許請求の範囲の減縮を目的としたものであり、新規事項の追加に該当せず、実質的に特許請求の範囲を拡張又は変更するものではないから、特許法等の一部を改正する法律（平成６年法律第１１６号。以下、「平成６年改正法」という。）付則第６条第１項の規定によりなお従前の例によるとされる、特許法第１２０条の４第３項において準用する平成６年改正法による改正前の特許法（平成５年改正法）第１２６条第１項ただし書き、及び第２項の規定に適合するので、当該訂正を認める。
　
［３］特許異議の申立てについての判断
１．本件の特許請求の範囲第１項ないし第３項に係る発明
　上記［２］で示したように上記訂正が認められるから、本件の特許請求の範囲第１項ないし第３項に係る発明は、上記訂正に係る訂正明細書の特許請求の範囲の請求項１ないし第３項に記載された事項に特定されるとおりのものである。以下に、訂正された特許請求の範囲第１項ないし第４項（第４項は第２項に係る発明の実施態様項）を示す。
　
特許請求の範囲
１．複数本の画素行を有する光電変換部と、
前記光電変換部に到達する光の経路を遮断するシャッタと、
前記画素行を１行づつ読み出す走査を行って、複数フィールドで静止画用画像信号を出力するように前記光電変換部を駆動する第１の駆動回路と、
該第１の駆動回路により駆動された光電変換部から出力された静止画用画像信号を用いて静止画を生成する静止画信号処理回路と、
１フィールドで動画用画像信号を出力するように前記光電変換部を駆動する第２の駆動回路と、
該第２の駆動回路により駆動された光電変換部から出力された動画用画像信号を用いて動画像を生成する動画信号処理回路と、
前記動画信号処理回路で生成された勤画像を表示するモニタと、
前記第１の駆動回路による前記光電変換部の駆動と、前記第２の駆動回路による前記光電変換部の駆動とを切り換える切り換え回路と、
前記静止画の記録の指示を行うシャッタスイッチと、
前記第２の駆動回路により駆動された光電変換部の出力信号を前記動画信号処理回路で処理された動画像を前記モニタに表示させた状態において、前記シャッタスイッチが操作された場合には、前記第２の駆動回路による駆動から前記第１の駆動回路による駆動に切り換えるように前記切り換え回路を制御し、前記シャッタを閉じて前記光電変換部から静止画用画像信号を出力させ、前記静止画用画像信号を出力させた後に、前記第１の駆動回路による駆動から前記第２の駆動回路による駆動に切り換えるように前記切り換え回路を制御し、前記シャッタを開放状態にすることにより、前記光電変換部から動画用画像信号を出力させるように制御する制御回路と、
を設けたことを特徴とする撮像装置。
　
２．複数本の画素行を有する光電変換部と、
前記光電変換部に到達する光の経路を遮断するシャッタと、
第１のフィールドでは第１の画素行を、第２のフィールドでは該第１の画素行とは異なる第２の画素行の信号を読み出す走査を行うように前記光電変換部を駆動する第１の駆動回路と、
該第１の駆動回路により駆動された光電変換部から出力された第１と第２のフィールドの静止画用画像信号を用いてフレーム静止画を生成する静止画信号処理回路と、
フィールド毎に同じ画素行を読み出す走査を行うように前記光電変換部を駆動する第２の駆動回路と、
該第２の駆動回路により駆動された光電変換部から出力された動画用画像信号を用いて動画像を生成する動画信号処理回路と、
前記動画信号処理回路で生成された動画像を表示するモニタと、
前記第１の駆動回路による前記光電変換部の駆動と、前記第２の駆動回路による前記光電変換部の駆動とを切り換える切り換え回路と、
前記静止画の記録の指示を行うシャッタスイッチと、
前記第２の駆動回路により駆動された光電変換部の出力信号を前記動画信号処理回路で処理された動画像を前記モニタに表示させた状態において、前記シャッタスイッチが操作された場合には、前記第２の駆動回路による駆動から前記第１の駆動回路による駆動に切り換えるように前記切り換え回路を制御し、前記シャッタを閉じて前記光電変換部から静止画用画像信号を出力させ、前記静止画用画像信号を出力させた後に、前記第１の駆動回路による駆動から前記第２の駆動回路による駆動に切り換えるように前記切り換え回路を制御し、前記シャッタを開放状態にすることにより、前記光電変換部から動画用画像信号を出力させるように制御する制御回路と、
を設けたことを特徴とする撮像装置。
　
３．複数本の画素行を有する光電変換部と、前記光電変換部に到達する光の経路を遮断するシャッタと、
第１のフィールドでは第１の画素行を、第２のフィールドでは該第１の画素行とは異なる第２の画素行の信号を読み出す走査を行うように前記光電変換部を駆動する第１の駆動回路と、
該第１の駆動回路により駆動された光電変換部から出力された第１と第２のフィールドの静止画用画像信号を用いてフレーム静止画を生成する静止画信号処理回路と、
フィールド毎に前記光電変換部の一部の画素行を読み出す走査を行うように前記光電変換部を駆動する第２の駆動回路と、
該第２の駆動回路により駆動された光電変換部から出力された動画用画像信号を用いて動画像を生成する動画信号処理回路と、
前記動画信号処理回路で生成された動画像を表示するモニタと、
前記第１の駆動回路による前記光電変換部の駆動と、前記第２の駆動回路による前記光電変換部の駆動とを切り換える切り換え回路と、
前記静止画の記録の指示を行うシャッタスイッチと、
前記第２の駆動回路により駆動された光電変換部の出力信号を前記動画信号処理回路で処理された動画像を前記モニタに表示させた状態において、前記シャッタスイッチが操作された場合には、前記シャッタを閉じて、前記第１の駆動回路により駆動された前記光電変換部から静止画用画像信号を出力させ、前記静止画用画像信号を出力させた後に、前記シャッタを開放状態にして、前記第２の駆動回路により駆動された前記光電変換部から動画用画像信号を出力させるように制御する制御回路と、
を設けたことを特徴とする撮像装置。
　
４．前記第１の駆動回路は、前記第１のフィールドでは２Ｎ行を、前記第２のフィールドでは２Ｎ−１行を走査するように前記光電変換部を駆動することを特徴とする特許請求の範囲第２項に記載の撮像装置。
　
２．特許異議申立の概要
　申立人は特許異議申立書において、訂正前の特許請求の範囲第１項及び第２項（実施態様項第４項）に係る発明は甲第１号証、甲第２号証に記載の発明を組み合わせることにより、当業者が容易に発明をすることができるものであり、また、同第３項に係る発明は甲第１号証ないし甲第３号証に記載の発明を組み合わせることによって当業者が容易に発明できるものであるから、特許法２９条２項の規定により特許を受けることができない旨主張している。
　
３．引用刊行物
（１）取消理由で引用した刊行物１（特開昭５８−１１６８８０号公報、申立人が提出した甲第１号）には、以下の事項が記載されている。
　（１．１）「本発明は連続影像とワンショットの影像との切換が容易に可能な影像装置に係る。」（１頁右上欄２行ないし３行）
　（１．２）「以下図面に基づき本発明を詳細に説明する。
　第１図は本発明の影像装置の構成の一例を示すブロック図、第２図は同ブロック図の要部タイミングを示す図、第３図は第１図示モードセレクタ及び連続モード指示回路等の論理図、第４図は影像素子の構成模式図である。
　図中ＬＳは影像光学系、ＡＰは絞り、ＳＨＴはシャッター、IＤは固体影像素子、ＰＳ１はプロセス回路、ＭＴＸは該プロセス回路からのＢ（赤）、Ｇ（緑）、Ｂ（青）出力を色差信号（Ｒ−Ｙ）、（Ｂ−Ｙ）及び輝度信号Ｙに変換するマトリクス回路、ＰＳ２は記録用信号処理回路、ＲＨは記録ヘッド、ＲＧＰＧは該ヘッドを１トラックずつシフトする為の夫々ラックギア及びピニオンギアである。」（２頁左上欄１４行ないし右上欄７行）
　（１．３）「ＤＲ１は前記影像素子IＤの蓄積、転送、読み出し等の駆動パルスを生成するドライバ回路であり、同期信号発生回路ＳＹNＣはシーケンス制御回路ＳＣＴＬの出力により同期制御される。」（２頁右上欄１７行ないし左下欄１行）
　（１．４）「尚、スイッチＳＷ３〜ＳＷ５は前記フリップフロップＦＦのＱ出力がハイレベルのときｅ側、ローレベルの時ｄ側に切換わる様構成されている。」（３頁右上欄５行ないし８行）
　（１．５）「連続モードスイッチＳＷ１をＯＮすると、モーター制御回路ＲＭＣが始動され、同期信号発生回路ＳＹＮからは同期信号が例えば第２図示の如く周期Ｔ０で出力される。この周期Ｔ０は例えば１／６０秒に設定する。そしてこの周期信号はスイッチＳＷ３を介してドライバー回路ＤＲ１に供給され、第２図示の様なパルスφ１〜φ２が生成される。」（３頁左下欄２行ないし１０行）
　（１．６）「そして、この読み出された信号はプロセス回路ＰＳ１、マトリックス回路ＭＴＸ、スイッチＳＷ４のｄ個を介してモニター装置ＭＴＶに供給されると共に、記録信号処理回路ＰＳ２、スイッチＳＷ５のｄ個、ヘッドＧＨを介して回転デイスタの所定トラックに繰り返し記録される。」（３頁右下欄７行ないし１２行）
　（１．７）「例えば、連続モードスイッチＳＷ１がＯＮ、スチールモードスイッチＳＷ２がＯＦＦ、即ち連続モードの場合には」（４頁左上欄１４行ないし１６行）
　（１．８）「そして前述の如く、影像信号はモニターされると共に所定のフィールドメモリー用のトラックに記録される。又、１フィールド毎に順次トラックを切換ながら記録ヘッドＲＨにより動画を記録していく。次に予めモードセレクタＭＳにより第３図示の適宜モードを選択すると共にＳＥ１、ＳＥ３により適宜の蓄積時間、絞り等を設定した後スチールモードスイッチＳＷ２をＯＮすると、フリップフロップＦＦがセットされるので演算回路ＯＰのコントロール入力ａ〜ｃにはセレクタＭＳからのデータが入力され、これに応じてＦＦのＱ出力がハイレベルとなる事によりアンドゲートＡＮＤが閉じられサンプルホールド回路ＳＨＣにおけるサンプリングは停止し、連続モードにおける測光値Ｅが保持される。又、ＳＷ３〜ＳＷ５がｅ側に切換わるので先ずフリップフロップＦＦのセットによりシーケンス制御回路にて生成された信号によりドライバー回路ＤＲ１が駆動パルスφ１,φ３を第２図の如く供給する。これにより受光部１内の不用電荷がクリアされる。又、カウンタＣＮＴがリセットされ、予め選択されたモード及び設定値に応じた蓄積時間Ｔ１’が経過するとＣ端子からパルスが出力され、これがシーケンス制御回路ＳＣＴＬに入力されてドライバー回路ＤＲ１を介して影像素子の受光部から蓄積部への電荷の転送及び蓄積部からの読み出しパルスφ１〜φ３により開始される。」（４頁右上欄４行ないし左下欄１１行）
　（１．９）「又、本実施例では影像素子からの信号の読出し終了後速やかにスチルモードから連続モードに復帰させるためのフリップフロップＦＦリセット信号をこのワンショット回路ＯＳ３の立下りに同期してワンショットＯＳ４により形成しているので、シャッタ閉成時間ＴＳは読出しに要する全体の時間Ｔ０以上にするのが望ましい。何故なら余り早く連続モードに復帰するとスチールモード２の信号読出し中に新たな画像が蓄積部に転送されてしまう恐れがある為である。尚、本実施例ではＴ０−Ｔ３としてある。又、本実施例ではスイッチＳＷ２によるスチルモード撮影はフリップフロップのリセット入力が入る迄は、たとえスイッチＳＷ２が一瞬しかＯＮしなくても保持される様為されている。」（４頁右下欄２行ないし１６行）
　（１．１０）「又、スイッチＳＷ２のＯＮによって、それ迄マトリクス回路ＭＴＸからモニター装置に供給されていた影像信号は連続モード中に１フィールドずつ更新されて記録されていた信号の再生出力に切換えられるので、連続モードからスチルモードに切換えてもモニター画像はその直前の画像を表示し続け画面が消えたり乱れたりする事がない。」（４頁右下欄１７行ないし５頁左上欄２行）
　
（２）同刊行物２（特開昭５９−５０６８４号公報、申立人が提出した甲第２号証）には、以下の事項が記載されている。
　（２．１）「本発明は、単一の影像素子を用いて各水平ラインを互いに隣り合う複数本づつ同時に走査して信号を読み出し、該信号により輝度信号と色信号とを発生せしめる影像装置に関し、特に、疑似インターレースをなす静止画再生のためのカラーテレビジョン信号を得ることができるようにしたものである。（１頁右下欄９行ないし１２行）
　（２．２）「この種の影像装置としては各種の方式が知られているが、動面撮像に際して、画面の流れが少なく、色情報の解像度が高く、かつ、色再現手段として水平走査期間遅延するための遅延線などの高価な電子部品を必要としないなとり利点を有する２線同時読み出し方式による影像装置が特に有用である。」（１頁右下欄１９行ないし５行）
　（２．３）「かかるセンサ１は、駆動走査回路７からの信号によって各水平ラインを順次走査する。この走査は、隣り合う２本の水平ラインについて同時に行なわれる。すなわち、第１回目の水平走査においては、水平ラインｌ１，ｌ２が同時に走査され、第２回目の水平走査においては、水平ラインｌ３，ｌ４が同時に走査される。以下、同様にして、２づつ水平ラインが走査される。受光部全体を１回走査するに要するする時間は１/６０秒である（以下、この時間を１フィールド時間という）。
　そこで、まず、第１回目の走査によって水平ラインｌ１，ｌ２が同時に走査されると、水平ラインｌ１からはＷフィルタに対応した絵素からの（以下、ｗ信号という）とＧフィルタに対応した絵素からの信号（以下ｇ信号という）とが交互に、すなわち、ｗ，ｇ，ｗ，ｇ，・・・・・・の順に信号が得られ、そのうちのｗ信号が出力端子２Ｗに、ｇ信号が出力端子２Ｇに出力される。一方、水平ラインｌ２からはＣｒフイルタに対応した絵素からの信号（以下、ｃｒ信号という）とＹｅフィルタに対応した桧素からの信号（以下、ｙｅ信号という）とが交互に、すなわちｃｙ，ｙｅ，ｃｙ，ｙｅ，・・・・・・の順に信号が得られ、そのうちのｃｙ信号が出力端子２Ｃｒに、ｙｅ信号が出力端子２Ｙｅに出力される。次に第２回目の走査によって水平ラインｌ３，ｌ４が同時に走査されると、同様にして、水平ラインｌ３の走査によって得られるｗ信号が出力端子２Ｗに、ｇ信号が出力増子２Ｇに出力され、また.水平ラインｌ４の走査によって得られるｃｙ信号が出力端子２Ｃｙに、ｙｅ信号が出力端子２Ｙｅに出力される。以下同様にして.隣り合う２つの水平ラインが同時に走査されて、各走査毎に出力端子２Ｗ，２Ｇ，２Ｃｙ，２Ｙｅに夫々ｗ信号，ｇ信号，ｃｙ信号，ｙｅ信号が出力される。このようにして、センサ１の受光部全体の水平ラインは１フィールド時間内に走査され、この走査によって出力端子２Ｗ，２Ｇ，２Ｃｙ，２Ｙｅ，に得られた夫々の信号は輝度信号再生マトリックス回路３と色信号再生マトリックス回路４とに供給され、出力端子５に輝度信号Ｙが、出力端子6１，6２に色信号が発生される。」（２頁右上欄１５行ないし右下欄１６行）
　（２．４）「ところで、かかる影像装置において、輝度信号ｙの分解能は水平方向については水平ラインの絵素数だけの分解能を有するが、垂直方向については、各フィールド毎に同じ様に水平ラインを走査したのでは、隣り合う２つの水平ラインから得られる信号を加算することにより、水平ライン数の１／２となる。」（３頁左下欄２行ないし８行）
　（２．５）「ところで、動きのある被写体の瞬時の状態を撮像して静止画を得る場合（以下、このような撮像を静止画撮像という。）、撮像装置にシャッタを組み合わせ、該シャッタによりセンサの受光面を瞬時に露光し、露光された受光面を走査して信号を発生せしめ、これを記録媒体に記録して繰り返し再生し、ぶれのない静止画を得るようにすることができる。
　しかしながら、上記２線同時読出し方式による撮像装置により、上記の静止画撮像を行うと、以下に述べるような問題点が生じる。
　すなわち、シャッタの露光後最初のフィールド時間では、走査により上記の信号が得られるが、次のフィールド時間では、シャッタが閉じたままで露光されないため必要な信号が得られない。そこで、２つのフィールド期間について記録媒体に上記信号を記録するようにしても２回目のフィールド時間信号は記録されないから、再生時記録媒体は上記最初のフィールド時間の信号が記録された部分と上記２回目のフィールド時間の信号が記録されなかった部分とを交互に繰り返し再生走査することになり、したがって、疑似インターレースによる視覚上の分解能の向上効果が得られないばかりか、テレビジョン受像機では、垂直同期信号周期毎すなわち１／６０秒毎に、撮像した画像と何も表示されない暗い画像とが交互に繰り返し現れ、このために面フリッカ現象が生じて再生画像の画質が著しく劣化する。
　そこで、この面フリッカ現象を除くために、上記の最初のフィールド時間内に得られた信号を垂直同期信号で繰り返し記録媒体から再生し、テレビジョン受像機に表示することにより、欠如した第２回目のフィールド時間を最初のフィールド時間で得られた信号によって補完する、いわゆるフィールドが再生が行われている。しかし、かかるフィールド画再生は、奇、偶数フィールドが同一画像によって形成されているものであるから、上記の動画の撮像の場合のような疑似インターレースによる分解能の向上を期待することができず、静止画像の再生における垂直方向の分解能が低下して画像の劣化をまねくことになる。」（４頁左上欄３行ないし左下欄３行）
　（２．６）「本発明は、上記従来技術の欠点を除き、垂直方向の分解能が向上した静止画を得ることができるようにした撮像装置を提供することにある。」（４頁左下欄４行ないし６行）
　（２．７）「この目的を達成するために、本発明は、シャッタにより瞬間的に露光されたセンサの受光部を１フィールド時間走査して所望の信号を得、該信号にもとづいて擬似インターレースをなす奇、偶フィ一ルドの信号を形成して記録媒体に記録し、該記録媒体から前記奇、偶フィールドの信号を交互に繰り返し再生するようにした点を特徴とする。」（４頁左下欄７行ないし１３行）
　（２．８）「以下、本発明の実施例を図面について説明する。
　第２図は本発明による影像装置一実施例を示すブロック図であって、１はセンサ，２，２’はセンサの出力端子，３，３’は輝度信号再生マトリ ックス回路，４ ，４’は色信号再生マトリックス画路。５は輝度信号再生マトリックス回路の出力端子，６は色信号再生マトリックス回路の出力端子，７は駆動走査回路，８，８’は信号処理回路、９，９’は０．５Ｈ遅延回路（但し、Ｈは１水平期間），１０は、１Ｈ遅延回路，１１ ，１１’，１２，１２’は記録再生手段，１３は切替釦である。
　次に、この実施例の動作について説明する。
　同図において、センサ１の受光部には、各水平ラインｌ１，ｌ２，ｌ３，ｌ４，・・・毎に、色フィルタ（図示せず）が所定の順序で配列されている。切換釦１３はその操作により動画，静止画影像を指示し、駆動走査回路７を制御してセンサ１の走査を規定する。」（４頁左下１４行ないし右下欄１１行）
　（２．９）「そこで、まず、動画撮像が切替釦１３によって指定されると、駆動走査回路７からの信号により、センサ１は第１図で説明したように、奇、偶フィールドで１水平ラインづれた疑似インターレースを行い、出力端子２、２’に所定の信号を出力する。出力端子２には奇数番目の水平ラインｌ１、ｌ３、・・・を走査して得られる信号が出力され、出力端子２’には偶数番目の水平ラインｌ２、ｌ４、・・・を走査して得られる信号が出力される。」（４頁右下欄１２行ないし最下行）
　（２．１０）「出力端子２、２’に得られた夫々の信号は信号処理回路８に供給され、信号処理回路８においては、輝度信号再生マトリックス回路３、色信号再生マトリックス回路４により、出力端子５、６に夫々輝度信号、色信号が得られる、出力端子５、６からの輝度信号、色信号は図示しない外部回路に供給されて疑似インターレースをなす動画用のカラーテレビジョン信号が形成される。」（５頁左上欄７行ないし１４行）
　（２．１１）「次に、切替釦１３により静止画像が指示されると、図示しないシャッタが瞬間的にセンサ１の受光部を露光し、駆動走査回路７からの信号により、センサ１は動画撮像における奇フィールドと同じ手順で走査を行う。すなわち、第１回目の水平走査で水平ラインｌ１、ｌ２が同時に走査され、出力端子２に水平ラインｌ１から読み出された信号が出力され、出力端子２’に水平ラインｌ２から読み出された信号が出力される。次の水平走査で水平ラインｌ２、ｌ４が同時に走査されて、出力端子２に水平ラインｌ３から読み出された信号が、出力端子２’に水平ラインｌ４から読み出された信号が出力される。以下同様にして、２つの水平ラインづづ走査され、出力端子２には奇数番目の水平ラインから読み出された信号が、出力端子２’に偶数番目の水平ラインから読み出された信号が夫々得られる。この走査は１フィールド時間行われて受光部全体の水平ラインが全て走査される。」（５頁左上欄１５行ないし右上欄１２行）
　（２．１２）「換言すれば、記録再生手段１１，１２により記録再生された輝度信号，色信号は、センサ１の水平ラインｌ１，ｌ２の合成された情報内容，水平ラインｌ３，ｌ４の合成された情報内容，・・・を有しているのに対し、記録再生手段１１’，１２’により記録された輝度信号，色信号は、水平ラインｌ２，ｌ３の合成された情報内容，・・・を有しているから、結局、記録再生手段１１，１２により記録された輝度信号と色信号とを、たとえは奇フィールドとし、記録再生手段１１’，１２’により記録された輝度信号とを、たとえば、偶フィールドの信号として、擬似インターレースをなす奇、偶フィールドの信号が得られたことになる。この場合、これら奇、偶フィールドの信号は、同じフィールド時間内に同時に得られているのである。」（５頁左下欄９行ないし６頁３行）
　（２．１３）「そこで、記録再生手段１１、１２で記録された輝度信号および色信号と、記録再生手段１１’、１２’で記録された輝度信号及び色信号とを１フィールド時間づつ交互に再生し、図示しないテレビジョン受像機に供給することにより疑似インターレースをなす静止画像が映出される。」（６頁左上欄４行ないし９行）
　
（３）同刊行物３（特開昭５４−３２０１７号公報、申立人が提出した甲第３号証）には、以下の事項が記載されている。
　（３．１）「本発明はセンターから送られて来る静止画信号と動画信号とを端末において受信することができる装置に関するものであり、動画の一部を記録してモニタテレビに映出する場合にちらつきが出ないように自動的に切替制御することができる装置を提供しようとするものである。」（１頁６行ないし１１行）
　（３．２）「以上のシステムにおいて静止画記録装置１４は前述のように映像信号の１フレ−ムを記録するようになっておりスライド，テロップ等による静止画送出信号を記録した場合は映像信号のフィ−ルド間の変化がないため解像度の良い鮮明な再生画像を得ることが出来るが、動画のように動きのあるものをフレーム記録すると再生画像にちらつきを生じ見づらいものになる。
　そこで、本発明は動画の一部を静止画記録装置に記録してモニタテレビに映出する場合に画像がちらつかないようにしようとするものである。」（３頁右上欄９行ないし１９行）
　（３．３）「今仮に、静止画を１ｃｈで伝送し、かつ端末で静止画をリクエストした場合、第７図に示すチャンネル切替制御器１１のデコーダの１ｃｈに信号が現れる。従って、前記デコーダのｌｃｈに信号が現われたときに静止画記録装置１４の記緑再生をフレ−ムで行ない、動画の一部を映出する場合にフィ−ルドで行なうように切替える。具体的には増幅器２２にデコーダのｌｃｈの出力を加えてリレ−２３に電流を流し、スイッチ２４，２５を切替える。
　第７図についてさらに詳細に説明する。静止画像記録装置１４の記録媒体としては、磁気シート等の回転記録媒体２６を用いモータ２７でこれを駆動する。２８，２９は記録再生ヘッド、３０はサーボ回路である。テレビ信号復調器１２の出力の一部を同期分離回路３ｌに加えて、同期信号のみを取出し、垂直同期分離回路３２で垂直同期信号を取出し、水平同期分離回路３３で水平同期信号を取出す。垂直同期信号は切替スイッチ２４を介してサーボ回路３０に、水平同期信号は１／２６２分周器３４で分周され、切替スイッチ２４を介してサーボ回路３０に加えられている。また、テレビ信号復調器１２の出力は変調器３５話記録増幅器３６を通って切替スイッチ３７，３８の記録端子に接続されている。この切替スイッチ３７，３８の可動端子は前記ヘッド２８，２９に接続されている。切替スィッチ３７，３８の再生端子は再生増幅器３９，４０を介してスイッチング回路４１に加えられ、切替スイッチ２５の一方の固定端子に供給される。再生増幅器４０の出力は直接切替スイッチ２５の他方の固定端子に供給されている。切替スイッチ８の可動端子は複調回路４２を介して出力回路４３よりモニタテレビに供給される。
　静止画受信時にはリレ−２３に電流が流れ、切替スイッチ２４，２５は図とは逆に上方に切り上げられている。この状態では垂直同期信号に同期してサーボがかけられており、切替スイッチ３７，３８も上方に切り上げられていて回転磁気媒体２６の一回転で１フィ−ルド(２６２．５Ｈ )が記録されることになる。再生時には切替スイッチ３７，３８が図示のようになりヘッド２８，２９よりの再生出力は再生増幅器３９，４０を通ってスイッチング回路４１に加えられ、このスイッチング回路４１が垂直同期信号の周期でスイッチされ、複調器４２で復調され、インターレ−スされた鮮明な再生信号をモニタテレビに供給することができる。
　一方動画を受信している場合にキーボード１６を押してマニアルで記録指令信号を静止画記録装置１４に加え、動画の一部を記録再生しようとするときにはリレー２３に電流が流れなくなり、スイッチ２４，２５は図示のようになる。この場合サーボ回路には水平同期信号を１／２６２した信号が加わってサーボがかかることになる。すると回転磁気媒体の１回転に２６２水平期間が記録される。再生時は再生増幅器４０のみの出力を復調器４２で復調して取出す。するとちらつきのないフィールド再生信号を得ることができる。
　以上のように本発明は静止画をモニタする場合にはフレーム記録再生をし、マニアルによって動画の一部を記録再生する場合にはフィールド記録再生をするようにしたので動面の一部をモニタテレビに映出する場合にでも画像にちらつきがないものである。」（３頁左下欄１６行ないし４頁右上欄１９行）
　
４．第１項に係る発明について
（１）第１項に係る発明と刊行物１に記載された発明との対比
　本件の第１項に係る発明（以下、「本件第１発明」という。）と刊行物１に記載された発明を対比すると、
両者は、
「複数本の画素行を有する光電変換部と、
前記光電変換部に到達する光の経路を遮断するシャッタと、
静止画用画像信号を出力するように前記光電変換部を駆動する第１の駆動回路と、
該第１の駆動回路により駆動された光電変換部から出力された静止画用画像信号を用いて静止画を生成する静止画信号処理回路と、
動画用画像信号を出力するように前記光電変換部を駆動する第２の駆動回路と、
該第２の駆動回路により駆動された光電変換部から出力された動画用画像信号を用いて動画像を生成する動画信号処理回路と、
前記動画信号処理回路で生成された勤画像を表示するモニタと、
前記第１の駆動回路による前記光電変換部の駆動と、前記第２の駆動回路による前記光電変換部の駆動とを切り換える切り換え回路と、
前記静止画の記録の指示を行うシャッタスイッチと、
前記第２の駆動回路により駆動された光電変換部の出力信号を前記動画信号処理回路で処理された動画像を前記モニタに表示させた状態において、前記シャッタスイッチが操作された場合には、前記第２の駆動回路による駆動から前記第１の駆動回路による駆動に切り換えるように前記切り換え回路を制御し、前記シャッタを閉じて前記光電変換部から静止画用画像信号を出力させ、前記静止画用画像信号を出力させた後に、前記第１の駆動回路による駆動から前記第２の駆動回路による駆動に切り換えるように前記切り換え回路を制御し、前記シャッタを開放状態にすることにより、前記光電変換部から動画用画像信号を出力させるように制御する制御回路と、
を設けたことを特徴とする撮像装置。」
である点で一致し、次の点で相違している。
　
　相違点
　本件第１発明においては、
「前記画素行を１行づつ読み出す走査を行って、複数フィールドで静止画用画像信号を出力するように前記光電変換部を駆動する第１の駆動回路と、
１フィールドで動画用画像信号を出力するように前記光電変換部を駆動する第２の駆動回路と、」
を有するのに対して、
　刊行物１にはこのようなことは記載されていない点。
　
　なお、申立人は特許異議申立書の２０頁において、「静止画用画像信号を複数フィールドで出力する本件特許発明に対して、甲第１号証記載の発明では「複数フィールド」に触れていない点で相違し、その他の構成を共通としている。」と主張しているが、本件第１発明は、静止画の場合は「複数フィールド」で出力し動画の場合は「１フィールド」で出力するように光電変換部を駆動すること、すなわち、この点が異なっていることに特徴があるのであるから、上記のとおり相違点を認定した。
　一方、特許権者は特許異議意見書の７頁において、「本件特許発明では、動画と静止画では光電変換部の走査方法を切り替え、さらにこの切り替えをシャッタスイッチの操作に応じて行っている」ことを根拠にして、「前記第１の駆動回路による前記光電変換部の駆動と、前記第２の駆動回路による前記光電変換部の駆動とを切り替える切り替え回路」等も相違している旨主張しているが、刊行物１においても第２図においてＳＷ２がＯＮになる前の駆動とＯＮになった後の駆動は異なっており、刊行物１に記載された発明も上記一致点のとおりに認定できるから、この特許権者の主張は採用できない。
　以上の点は、第２項、第３項に係る発明に関する一致点、相違点の認定においても同様である。
　
（２）判断
　異議申立人は、「甲第２号証（刊行物２）では、複数フィールドでの静止画出力に相当する疑似インターレースによる静止画出力について述べており、甲第１号証（刊行物１）で欠く構成は公知事項にすぎない。」（特許異議申立書２１頁）旨主張しているが、訂正によって、「前記画素行を１行づつ読み出す走査を行って、複数フィールドで・・・」と訂正されたので、本件第１発明は「疑似インターレース」とは無関係であることは明らかである。
　刊行物２は従来の２線同時読出し方式による撮像装置の改良に関するものであり、次のように記載されている。
　「まず、動画撮像が切替釦１３によって指定されると、駆動走査回路７からの信号により、センサ１は第１図で説明したように、奇、偶フィールドで１水平ラインづれた疑似インターレースを行い、出力端子２、２’に所定の信号を出力する。」（上記（２．９）参照）、「出力端子２、２’に得られた夫々の信号は信号処理回路８に供給され、・・・出力端子５、６からの輝度信号、色信号は図示しない外部回路に供給されて疑似インターレースをなす動画用のカラーテレビジョン信号が形成される。」（上記（２．１０）参照）、「次に、切替釦１３により静止画像が指示されると、図示しないシャッタが瞬間的にセンサ１の受光部を露光し、駆動走査回路７からの信号により、センサ１は動画撮像における奇フィールドと同じ手順で走査を行う。すなわち、第１回目の水平走査で水平ラインｌ１、ｌ２が同時に走査され、出力端子２に水平ラインｌ１から読み出された信号が出力され、出力端子２’に水平ラインｌ２から読み出された信号が出力される。・・・以下同様にして、２つの水平ラインづづ走査され、出力端子２には奇数番目の水平ラインから読み出された信号が、出力端子２’に偶数番目の水平ラインから読み出された信号が夫々得られる。この走査は１フィールド時間行われて受光部全体の水平ラインが全て走査される。」（上記（２．１１）参照）、「そこで、記録再生手段１１、１２で記録された輝度信号および色信号と、記録再生手段１１’、１２’で記録された輝度信号及び色信号とを１フィールド時間づつ交互に再生し、図示しないテレビジョン受像機に供給することにより疑似インターレースをなす静止画像が映出される。」（上記（２．１３）参照）
　したがって、刊行物２に記載されたものは、最終的には、動画についても静止画についても疑似インターレースのカラーテレビジョン信号を得るものであるが、センサ１（本件第１発明の「光電変換部」に相当する。）に対して、動画については２線同時読出し方式の疑似インターレースで駆動し、一方、静止画については２線同時読出し方式の奇フィールドと同じ手順で走査を行い、何も記録されていない偶フィールド（上記（２．５）参照）については走査を行わない（走査を行ったとしてもその信号は使用しない）ものである。
　したがって、刊行物２に記載されたものは、「複数フィールドで静止画用画像信号を出力するように前記光電変換部を駆動」し、かつ、「１フィールドで動画用画像信号を出力するように前記光電変換部を駆動する」ものではないから、本件第１発明は刊行物１及び２に基づいて当業者が容易に発明できたものとはいえない。
　
５．第２項に係る発明について
（１）第２項に係る発明と刊行物１に記載された発明との対比
　本件の第２項に係る発明（以下、「本件第２発明」という。なお、第４項は第２発明の実施態様項である。）と刊行物１に記載された発明を対比すると、
両者は、
「複数本の画素行を有する光電変換部と、
前記光電変換部に到達する光の経路を遮断するシャッタと、
前記光電変換部を駆動する第１の駆動回路と、
該第１の駆動回路により駆動された光電変換部から出力された静止画用画像信号を用いて静止画を生成する静止画信号処理回路と、
前記光電変換部を駆動する第２の駆動回路と、
該第２の駆動回路により駆動された光電変換部から出力された動画用画像信号を用いて動画像を生成する動画信号処理回路と、
前記動画信号処理回路で生成された動画像を表示するモニタと、
前記第１の駆動回路による前記光電変換部の駆動と、前記第２の駆動回路による前記光電変換部の駆動とを切り換える切り換え回路と、
前記静止画の記録の指示を行うシャッタスイッチと、
前記第２の駆動回路により駆動された光電変換部の出力信号を前記動画信号処理回路で処理された動画像を前記モニタに表示させた状態において、前記シャッタスイッチが操作された場合には、前記第２の駆動回路による駆動から前記第１の駆動回路による駆動に切り換えるように前記切り換え回路を制御し、前記シャッタを閉じて前記光電変換部から静止画用画像信号を出力させ、前記静止画用画像信号を出力させた後に、前記第１の駆動回路による駆動から前記第２の駆動回路による駆動に切り換えるように前記切り換え回路を制御し、前記シャッタを開放状態にすることにより、前記光電変換部から動画用画像信号を出力させるように制御する制御回路と、
を設けたことを特徴とする撮像装置。」
である点で一致し、次の点で相違している。
　
　相違点
　本件第２発明においては、
「第１のフィールドでは第１の画素行を、第２のフィールドでは該第１の画素行とは異なる第２の画素行の信号を読み出す走査を行うように前記光電変換部を駆動する第１の駆動回路と、
該第１の駆動回路により駆動された光電変換部から出力された第１と第２のフィールドの静止画用画像信号を用いてフレーム静止画を生成する静止画信号処理回路と、
フィールド毎に同じ画素行を読み出す走査を行うように前記光電変換部を駆動する第２の駆動回路と、」
を有するのに対して、
　刊行物１にはこのようなことは記載されていない点。
　
（２）判断
　申立人は、「甲第２号証（刊行物２）には、「第１のフィールドでは第１の画素行を、第２のフィールドでは該第１の画素行とは異なる第２の画素行の信号を読み出す走査」、「フィールド毎に同じ画素行を読み出す走査」、「第１と第２のフィールドの静止画用画像信号を用いて生成されるフレーム静止画」に関する記載があり、これらは甲第２号証（刊行物２）記載の公知事項にすぎない。」と主張している。
　しかし、刊行物２は第１発明に関して述べたようなものであるから、本件第２発明は刊行物１及び２に基づいて当業者が容易に発明できたものとはいえない。
　
６．第３項に係る発明について
（１）第３項に係る発明と刊行物１に記載された発明との対比
　本件の第３項に係る発明（以下、「本件第３発明」という。）と刊行物１に記載された発明を対比すると、
両者は、
「複数本の画素行を有する光電変換部と、前記光電変換部に到達する光の経路を遮断するシャッタと、
前記光電変換部を駆動する第１の駆動回路と、
該第１の駆動回路により駆動された光電変換部から出力された静止画用画像信号を用いて静止画を生成する静止画信号処理回路と、
前記光電変換部を駆動する第２の駆動回路と、
該第２の駆動回路により駆動された光電変換部から出力された動画用画像信号を用いて動画像を生成する動画信号処理回路と、
前記動画信号処理回路で生成された動画像を表示するモニタと、
前記第１の駆動回路による前記光電変換部の駆動と、前記第２の駆動回路による前記光電変換部の駆動とを切り換える切り換え回路と、
前記静止画の記録の指示を行うシャッタスイッチと、
前記第２の駆動回路により駆動された光電変換部の出力信号を前記動画信号処理回路で処理された動画像を前記モニタに表示させた状態において、前記シャッタスイッチが操作された場合には、前記シャッタを閉じて、前記第１の駆動回路により駆動された前記光電変換部から静止画用画像信号を出力させ、前記静止画用画像信号を出力させた後に、前記シャッタを開放状態にして、前記第２の駆動回路により駆動された前記光電変換部から動画用画像信号を出力させるように制御する制御回路と、
を設けたことを特徴とする撮像装置。」
である点で一致し、次の点で相違している。
　
　相違点
　本件第３発明においては、
「第１のフィールドでは第１の画素行を、第２のフィールドでは該第１の画素行とは異なる第２の画素行の信号を読み出す走査を行うように前記光電変換部を駆動する第１の駆動回路と、
該第１の駆動回路により駆動された光電変換部から出力された第１と第２のフィールドの静止画用画像信号を用いてフレーム静止画を生成する静止画信号処理回路と、
フィールド毎に前記光電変換部の一部の画素行を読み出す走査を行うように前記光電変換部を駆動する第２の駆動回路と、」
を有するのに対して、
　刊行物１にはこのようなことは記載されていない点。
　
（２）判断
　申立人は、「甲第２号証（刊行物２）には、「第１のフィールドでは第１の画素行を、第２のフィールドでは該第１の画素行とは異なる第２の画素行の信号を読み出す走査」、「第１と第２のフィールドの静止画用画像信号を用いて生成されるフレーム静止画」に関する記載があり、これらは甲第２号証（刊行物２）記載の公知事項にすぎない。」と主張し、さらに、「フィールド毎に光電変換部の一部の画素行を読み出す走査」に関する記載が甲第３号証（刊行物３）にあり、このような走査は甲第３号（刊行物３）記載の公知事項にすぎない。」と主張している。
　しかし、刊行物２は第１発明に関して述べたようなものである。
　また、刊行物３は、「センターから送られて来る静止画信号と動画信号とを端末において受信することができる装置に関するもの」（上記（３．１）参照）であり、本件第３発明の「光電変換部」に関しては何も記載されていないから、刊行物３に申立人が主張する「・・・画素行を読み出す走査」が記載されていないことは明らかである。
　したがって、本件第３発明は刊行物１ないし３に基づいて当業者が容易に発明できたものとはいえない。
　
８．むすび
　以上のとおりであるから、特許異議申立の理由及び証拠によっては、本件第１項ないし第３項に係る発明の特許を取り消すことはできない。
　また、他に本件第１項ないし第３項に係る発明の特許を取り消すべき理由を発見しない。
　よって、結論のとおり決定する。
【異議決定日】
平成１３年６月１９日（２００１．６．１９）
【訂正の要旨】
訂正の要旨
▲１▼訂正事項ａ
　願書に添付した明細書の特許請求の範囲の第１項に係る記載の
「複数フィールドで静止画用画像信号を出力するように前記光電変換部を駆動する第１の駆動回路と、」を、を特許請求の範囲の減縮を目的として、
「
前記画素行を１行づつ読み出す走査を行って、
（５４）【発明の名称】
撮像装置
（５７）【特許請求の範囲】
１．複数本の画素行を有する光電変換部と、
前記光電変換部に到達する光の経路を遮断するシャッタと、
前記画素行を１行づつ読み出す走査を行って、
該第１の駆動回路により駆動された光電変換部から出力された静止画用画像信号を用いて静止画を生成する静止画信号処理回路と、
１フィールドで動画用画像信号を出力するように前記光電変換部を駆動する第２の駆動回路と、
該第２の駆動回路により駆動された光電変換部から出力された動画用画像信号を用いて動画像を生成する動画信号処理回路と、
前記動画信号処理回路で生成された動画像を表示するモニタと、
前記第１の駆動回路による前記光電変換部の駆動と、前記第２の駆動回路による前記光電変換部の駆動とを切り換える切り換え回路と、
前記静止画の記録の指示を行うシャッタスイッチと、
前記第２の駆動回路により駆動された光電変換部の出力信号を前記動画信号処理回路で処理された動画像を前記モニタに表示させた状態において、前記シャッタスイッチが操作された場合には、前記第２の駆動回路による駆動から前記第１の駆動回路による駆動に切り換えるように前記切り換え回路を制御し、前記シャッタを閉じて前記光電変換部から静止画用画像信号を出力させ、前記静止画用画像信号を出力させた後に、前記第１の駆動回路による駆動から前記第２の駆動回路による駆動に切り換えるように前記切り換え回路を制御し、前記シャッタを開放状態にすることにより、前記光電変換部から動画用画像信号を出力させるように制御する制御回路と、
を設けたことを特徴とする撮像装置。
２．複数本の画素行を有する光電変換部と、
前記光電変換部に到達する光の経路を遮断するシャッタと、
第１のフィールドでは第１の画素行を、第２のフィールドでは該第１の画素行とは異なる第２の画素行の信号を読み出す走査を行うように前記光電変換部を駆動する第１の駆動回路と、
該第１の駆動回路により駆動された光電変換部から出力された第１と第２のフィールドの静止画用画像信号を用いてフレーム静止画を生成する静止画信号処理回路と、
フィールド毎に同じ画素行を読み出す走査を行うように前記光電変換部を駆動する第２の駆動回路と、
該第２の駆動回路により駆動された光電変換部から出力された動画用画像信号を用いて動画像を生成する動画信号処理回路と、
前記動画信号処理回路で生成された動画像を表示するモニタと、
前記第１の駆動回路による前記光電変換部の駆動と、前記第２の駆動回路による前記光電変換部の駆動とを切り換える切り換え回路と、
前記静止画の記録の指示を行うシャッタスイッチと、
前記第２の駆動回路により駆動された光電変換部の出力信号を前記動画信号処理回路で処理された動画像を前記モニタに表示させた状態において、前記シャッタスイッチが操作された場合には、前記第２の駆動回路による駆動から前記第１の駆動回路による駆動に切り換えるように前記切り換え回路を制御し、前記シャッタを閉じて前記光電変換部から静止画用画像信号を出力させ、前記静止画用画像信号を出力させた後に、前記第１の駆動回路による駆動から前記第２の駆動回路による駆動に切り換えるように前記切り換え回路を制御し、前記シャッタを開放状態にすることにより、前記光電変換部から動画用画像信号を出力させるように制御する制御回路と、
を設けたことを特徴とする撮像装置。
３．複数本の画素行を有する光電変換部と、
前記光電変換部に到達する光の経路を遮断するシャッタと、
第１のフィールドでは第１の画素行を、第２のフィールドでは該第１の画素行とは異なる第２の画素行の信号を読み出す走査を行うように前記光電変換部を駆動する第１の駆動回路と、
該第１の駆動回路により駆動された光電変換部から出力された第１と第２のフィールドの静止画用画像信号を用いてフレーム静止画を生成する静止画信号処理回路と、
フィールド毎に前記光電変換部の一部の画素行を読み出す走査を行うように前記光電変換部を駆動する第２の駆動回路と、
該第２の駆動回路により駆動された光電変換部から出力された動画用画像信号を用いて動画像を生成する動画信号処理回路と、
前記動画信号処理回路で生成された動画像を表示するモニタと、
前記第１の駆動回路による前記光電変換部の駆動と、前記第２の駆動回路による前記光電変換部の駆動とを切り換える切り換え回路と、
前記静止画の記録の指示を行うシャッタスイッチと、
前記第２の駆動回路により駆動された光電変換部の出力信号を前記動画信号処理回路で処理された動画像を前記モニタに表示させた状態において、前記シャッタスイッチが操作された場合には、前記シャッタを閉じて、前記第１の駆動回路により駆動された前記光電変換部から静止画用画像信号を出力させ、前記静止画用画像信号を出力させた後に、前記シャッタを開放状態にして、前記第２の駆動回路により駆動された前記光電変換部から動画用画像信号を出力させるように制御する制御回路と、
を設けたことを特徴とする撮像装置。
４．前記第１の駆動回路は、前記第１のフィールドでは２Ｎ行を、前記第２のフィールドでは２Ｎ−１行を走査するように前記光電変換部を駆動することを特徴とする特許請求の範囲第２項に記載の撮像装置。
【発明の詳細な説明】
　【０００１】
　【発明の属する技術分野】本発明は撮像装置に関するものであり、特に静止画記録の動作と、通常のビデオカメラとしての動作との両方に好適な光電変換部の駆動制御手段を備えた撮像装置に関するものである。
　【０００２】
　【従来の技術】図１は、従来のカラー撮像装置に用いられている色フィルタ配置の一例を示す平面図である。原色フィルタであるＲ（赤），Ｇ（緑），Ｂ（青）を同図のように配置したものは、ベイヤー配列と呼ばれ、各々が１つの画素をなしている。
　【０００３】信号読み出しは、あるフィールドで第１行の画素を順次読み出し、次に第３行，第５行…と奇数行を順次読出した後、次のフィールドでは第２行，第４行…偶数行を読み出してインタレースを行なっている。
　【０００４】図２は前記図１の色フィルタ配置を有する光電変換部１を用いた撮像装置の一つである電子カメラの構成ブロック図を示す。図２中の１１，１２，１３はそれぞれ色フィルタＧ，Ｒ，Ｂに対応する信号ｇ，ｒ，ｂが出力される、光電変換部１の出力端子である。２はｌＨ遅延線，３はマトリックス回路およびプロセス回路などの通常の信号処理回路，４は不図示の磁気シートなどの記録媒体に記録するために、画像信号の変調などを行なう記録回路，５は記録ヘッド，６は撮像画像のモニタ、７は不図示の記録ボタンにより、不図示のシャッタ，絞り，光電変換部１の駆動，記録回路４などを制御し、静止画記録の動作を制御する制御回路，８は光電変換部１の駆動を行なう駆動回路である。
　【０００５】上記したｌＨ遅延線が必要な理由は、図１に示す画素の第ｎ行と次に読み出される（ｎ＋２）行において、いずれかにｒ信号かｂ信号が欠除しているためである。すなわち、第（ｎ−２）行でｇとｒ信号，第ｎ行でｇとｂ信号，第（ｎ＋２）行でｇとｒ信号というように順次、図２の駆動回路８により読み出される。
　【０００６】このため、第ｎ行のｇとｂ信号の読み出しが行なわれる水平走査期間には、第ｎ−２行のｒ信号を合わせて輝度信号、および色信号を作り次の水平走査期間では第（ｎ＋２）行のｇ，ｒ信号が読み出され、第ｎ行のｂ信号と組合せて輝度及び色信号を作る必要があるのである。このように、従来の色フィルタ配列で得られる画素を用い、各行を飛びこし読み出しをすることによりフレーム画（静止画）を得ることができる。
　【０００７】これをもとに、図２のブロック図において不図示の記録媒体にフレーム画を記録する動作について説明する。まず、不図示の記録ボタンが押された場合、不図示のシャッタを閉じ、光電変換部１のすべての画素の読み出しが終った後、駆動回路８により読み出し動作を停止する。その読み出し動作停止後、不図示の絞りとシャッタを制御回路７で制御し、適度に光電変換部１に露光を行なう。
　【０００８】その後、駆動回路８を駆動し、上記した画素の読み出し動作を行ない、フレーム画信号を取りだし、信号処理回路３，記録回路４をへて記録ヘッド５により、不図示の記録媒体に記録する。このフレーム画読み出しを行なった後には、光電変換部１には画像信号は残っておらず、すべての情報が不図示の記録媒体に記録される。
　【０００９】ところで、撮像装置の一つである電子カメラといえども、基本的にはビデオカメラと変わらないので、ビデオカメラとしての機能を持たせ、連続的に撮像することができる。そして、撮像した信号を、モニタ６上に動画像として映すことが可能である。
　【００１０】しかし、このビデオカメラモード時には以下に述べる欠点を有する。すなわち、カメラパン時などに生ずるフレーム残像により、画面が尾をひくようにちらついて見え、画質が著しく劣化してしまうことである。これはフレーム画撮像を行なう通常の放送用カメラなどの撮像管で写した動画像は、撮像管のビーム巾が大きいので、１フィールド分読み出したならば、撮像面のすべての情報がなくなる。つまり、例えばＮＴＳＣ方式では１／６０秒間蓄積された画像信号が生成されるのに対し、前記電子カメラのフレーム読出しでは１／３０秒間蓄積された画像信号が得られるからである。
　【００１１】すなわち、電子カメラに最適なセンサのフレーム画読みだし方法をとっている場合はパンニングによる空間周波数の低下が倍となり、かつ尾をひくように見える残像の大きさも倍となるので、通常のテレビ画面を見ている者にとって非常に気になる画像劣化として見えることになる。
　【００１２】さらに、１／６０秒と１／３０秒との画像蓄積時間差は２倍ではあるが、フリツカ同様、検知限からみると、倍以上の劣化の感じとなり、モニタ上に映し出される動画像は著しく悪化するという欠点がある。
　【００１３】ところで、このようなビデオカメラモードと電子カメラモードとで、それぞれに適した撮像信号を得ようとするアイデアとして特開昭５８−２２０５７７号公報記載の「撮像装置」がある。同文献中に示された発明ではフレームランスファ形のセンサ及びその駆動方法を変更してビデオカメラモード（同文献中では「ムービ撮像」）ではテレビジョン受像機で再生可能な撮像出力をセンサから取り出すようにしたものである。
　【００１４】しかし、同実施例によれば電子カメラモード（同文献中では「スチル撮像」）の場合画像出力順序等においてそのままテレビジョン受像機で再生が不可能な出力しか得られない欠点がある。
　【００１５】すなわちスチル撮像であってもムービー撮像と同じく、テレビジョン受像機用信号と同様な信号を得ることにより信号処理系を簡略化できることが望ましいが、同文献中の発明ではそれが不可能な特殊な撮像出力となる欠点がある。
　【００１６】
　【発明が解決しようとする課題】本発明は、動画像をモニタに表示させながら、フレーム画記録により静止画記録を行う、使い勝手のよい撮像装置を提供することにある。
　【００１７】
　【課題を解決するための手段】課題を解決するために、本願では、シャッタスイッチを押せば自動的にビデオカメラモードから電子カメラモードに変更されてフレーム画記録を行い、再びビデオカメラモードに戻ってモニタ動作が行われるように制御する制御手段を設けた。制御手段は、ビデオカメラモード時には、光電変換素子の駆動をモニタに表示させるために好適な駆動となるように制御する。
　【００１８】モニタに表示させる動画用信号を得るための好適な光電変換素子の走査例としては、第１表に示すＮｏ．１〜Ｎｏ．５の５通りがある。電子カメラモード時は全て従来例と同じ飛び越し走査である。
　【００１９】
　【表１】
　【００２０】
　【発明の実施の形態】以下に、図面を参照して、本発明を詳細に説明する。
　【００２１】図３は本発明の一実施例のブロック図である。同図において、前記図２と同一の符号は、同一または同等部分をあらわしている。
　【００２２】７１は制御回路，７０１は電子スイッチ，８１は電子カメラモード時に光電変換部１の駆動を行なう静止画時駆動回路，８２はビデオカメラモード時に光電変換部１の駆動を行なう動画時駆動回路，９１は絞りやシャッタ機構をもつレンズ，９２は電子カメラのシャッタスイッチ，３１は前記図２における１Ｈ遅延線２や信号処理回路３などをすべて含んだ信号処理回路である。
　【００２３】この信号処理回路３１は、この発明の属する分野の者であれば、光電変換部１の画素配列とその読み出し順序を知ることにより容易に構成できるので、ここでは、その詳細を省略する。
　【００２４】本発明の実施例は上記の構成であって、以下その動作を図４に示す各部の信号波形図を用いて説明する。図４中、（イ）は、シャッタスイッチ９２を押した場合に生ずるシャッタパルス、（ロ）は、動画時駆動回路８２と静止画時駆動回路８１を切替える切替パルス、（ハ）は、レンズ９１のシャッタ動作を表わすシャッタ動作パルス、（ニ）は、光電変換部１の読出し信号を不図示の円板等の記録媒体に記録する記録パルスである。
　【００２５】通常、図３の回路は、シャッタスイッチ９２が押される前は、ビデオカメラモードによるモニタ動作を行なっている。すなわち、動画時駆動回路８２により、前述した表の５通りの走査例のいずれか１つの走査例によって、光電変換部１の駆動を行ない、この光電変換部１より連続的に撮像信号を抽出し、この撮像信号を信号処理回路３１により、ビデオ信号としてモニタ６に出力し、モニタ６上に動画像を映し出すものである。
　【００２６】上記のビデオカメラモードの状態において、シャッタスイッチ９２が押された場合、図４のシャッタパルス
（イ）を受けた制御回路７１は、図４の切替パルス
（ロ）を発生し、電子スイッチ７０１を静止画時駆動回路８１に切替える。つまり、電子カメラモードとなる。
　【００２７】このとき、同時に図４のシャッタ動作パルス（ハ）により、ビデオカメラモードにおけるレンズ９１の例えば自動絞りなどの動作を中止し、シャッタ機構を動作させてシャッタを閉じ、外光の光電変換部の受光部への照射を中断させる。
　【００２８】その直後、静止画時駆動回路８１は、光電変換部１に蓄積されていた電荷を全て読出した後、読出しを停止し、レンズ９１による結像画の蓄積を行なう状態となる。
　【００２９】この状態となった後、レンズ９１のシャッタ機構によりシャッタを開けて光電変換部１の受光部に露光する。シャッタを閉じて露光を終了した後、静止画時駆動回路８１は、光電変換部１を前述した飛越し走査して、前記の表に示すように、奇フィールドでは２ｎ−１（奇数列）の画素列を、偶フィールド２ｎ（偶数列）の画素列を読み出し、通常のフレーム読出しを行なう。
　【００３０】また、同時に、図４の記録パルス（ニ）により記録回路４を動作させ、フレーム信号を記録ヘッド５を通じて不図示の記録媒体に記録する。記録後、制御回路７１は図４の切替パルス（ロ）を反転させ、電子スイッチ７０１を動画時駆動回路８２に切替えて、通常のビデオ信号を発生させるビデオカメラモードとする。
　【００３１】以上の一連の動作は、すべて経時的に行なわれる。この場合における詳しい信号処理の仕方や動作、例えばシャッタが閉じて、不図示の露出装置により、被写体照度に応じて一定時間シャッタを開けることや、同時に絞りの制御を行なうこと、シャッタスピードを優先で決めたりすることなどは通常のカメラの一連の動作と同じであり、また、光電変換部１の動作制御も、この発明の属する分野の者であれば容易に構成し得るので、説明を省略した。
　【００３２】以下に、前記の表に示したビデオカメラモードにおける５通りの走査例について説明する。
　【００３３】Ｎｏ．１の走査例では、２ｎ−１（奇数）列の画素列を読み出し、偶数列をすてることによりフレーム残像を防ぐ場合である。
　【００３４】Ｎｏ．２の走査例では、２ｎ（偶数）列の画素を読み出し、奇数列をすてることによりフレーム残像を防ぐ場合である。
　【００３５】このＮｏ．１，Ｎｏ．２の２つの走査例では、１フィールド毎に同一受光素子を読み出すため、光電変換部１の出力がフレーム読出し時の半分となっているので、信号処理回路３１でそれを補正する。
　【００３６】Ｎｏ．３の走査例では、隣接する画素列１と２，３と４，５と６…の順に読み出し、Ｎｏ．４の走査例では隣接する画素列２と３，４と５，６と７…の順に読み出す。つまり、Ｎｏ．３，Ｎｏ．４の走査例は２画素列を同時に読み出し、１フィールド期間にすべての画素を読む場合を示している。
　【００３７】この場合の信号処理は画素フィルタの種類や配置によって変わってくる。これを図１の色フィルタ配置を例にとり説明する。
　【００３８】まず、Ｎｏ．３の走査例で得られる画素情報出力は、前記の表から明らかなように、Ｎｏ．１とＮｏ．２の走査例で得られる光電変換部１の画素情報出力を加算したものと同じで、第１の走査では、信号ｒ，ｇ，ｒ，ｇ，…が、第２の走査では信号ｇ，ｂ，ｇ，ｂ…が出力され、同一順序で信号が出力される。単に、２線同時読み出しなので、信号出力の大きさが２倍（ただしフレーム読出し時と同じ）となっているだけであり、信号処理としては前の例と変わらない。
　【００３９】Ｎｏ．４の場合、図１の色フィルタ配置の２列と３列から分かるように２線同時読出し信号自体が信号ｒ，ｇ，ｂをもっている。このため、この２列自体から輝度信号と色信号を生成することができ、垂直方向の解像度の点からもこの信号自体で生成するのが望ましい。
　【００４０】図５は前記Ｎｏ．４の走査例を実施する電子カメラの主要部のブロック図である。
　【００４１】図５において、前記図３と同一の符号は、同一または同等部分をあらわしている。３１ａは電子カメラモード時の信号処理回路３１ｂはビデオカメラモード時の信号処理回路，７０２は上記信号処理回路３１ａと同３１ｂを切替える電子スイッチ，７０３は端子であり、前記図３のように記録回路４とモニタ６に接続されている。
　【００４２】電子カメラモードでは、電子スイッチ７０１，７０２により駆動回路８１，信号処理回路３１ａが接続される。ビデオカメラモードでは逆に駆動回路８２，信号処理回路３１ｂが接続されフィールド読み出しを行なう。
　【００４３】以上の読み出しでは、読み出される画素列が毎フィールド同じで、インタレース走査は行なっていないので、垂直方向の解像度が低下している。
　【００４４】そこで前記の表のＮｏ．５の走査例に示すような駆動を行ない、擬似インタレース走査をすることによって、ビデオカメラモードでも垂直方向の解像度の劣化を少なくすることができる。
　【００４５】ただし、この場合、２線同時読出し信号自体で輝度信号と色信号を生成することが望ましく同時に電子カメラモード時にも垂直方向の劣化をおさえるため１画素列の信号のみで輝度信号と色信号を生成することが望まれる。
　【００４６】これは、ビデオカメラモードで使用する場合には光電変換部１の出力として表１に示したように毎フィールド毎に走査されてリセットされた絵素の信号のみを使用するところにある。すなわち、フィールド期間毎に１度はリセットされる信号を用いてフレーム残像を除去した撮像画を得るために、２線同時読出し方式のように１フィールド期間に全ての信号をリセットする光電変換部１の駆動方法を実施する場合、電子カメラモードでの信号生成と同様の生成方法を実施しても動画に適した撮像画が得られるが、さらに良好な撮像画を得る目的で上記のような信号生成を行うことが望まれる。
　【００４７】これは確かに電子カメラモードと同様に奇フィールドでは２ｎ−１の行のラインの偶フィールドでは２ｎの行のラインの信号を用いて信号生成を行えば垂直方向の解像度を確保することができるが、解像度が良好になり過ぎて動画に余り適しない画質になることがあるためである。すなわちこの場合垂直方向の開口率が約５０パーセントとなっているので１００パーセントの場合に比べ垂直方向の解像度は増加しているが両方向のモワレも増加しさらにこのモワレがインタレース走査のためフリッカしてしまう。電子カメラモードではシャッタ撮像による静止画のためこの妨害は検知しにくいのに対し、ビデオカメラモードでは撮像画が動くため動きにつれてこのモワレ自体が増減し、場合によっては見苦しい画面となる。そこで撮像管の信号生成と同じく約１００パーセントの開口率をもつように上述のように２線同時読出し信号自体で信号生成を行なうことによりモワレの増加を防ぐことが望ましい。このような条件下では、従来例で示したベイヤー配列は使用できず、他の配列が必要となる。
　【００４８】以上の条件を満たす色フィルタ配置例を図６に示す。これにより、電子カメラモード時とビデオカメラモード時のそれぞれの要求が満たされる。すなわち、同一列に配置されているフィルタにより生ずる。
　【００４９】Ｗ（ホワイト）＝ｇ＋ｒ＋ｂ
Ｃｙ（シアン）＝ｇ＋ｂ
Ｙｅ（イエロー）＝ｇ＋ｒ
の信号をマトリックス操作することにより、輝度信号と色信号が抽出できることによる。これらの色フィルタ配置において、Ｗ，Ｃｙ，Ｙｅは、ただ１つにきまるものではなく、他にＲ，Ｇ，ＢやＲ，Ｇ，ＣｙやＧ，Ｒ，Ｇ，Ｂ…などで示されるように、１ラインで輝度信号と色信号が取れるものであれば、どのような配置でも可能である。
　【００５０】図７は他の色フィルタ配置例を示すもので例えば奇数列の各画素間に偶数列の画素を位置させた△配置における例を示す。この配置によれば、前記の各例に比べて、さらに水平解像度を高くすることができる。
　【００５１】以上、単板式について述べたが、多板式でも同じような駆動により、電子カメラモードとビデオカメラモードの画質の改善を計ることができる。
　【００５２】図８に２板式の実施例を示す。図８において、９２はレンズ，１０は分光系，１００１はＧ信号用の光電変換部，１００２はＲ，Ｂ信号用の光電変換部，１０１はハーフミラーもしくはダイクロイツクフィルタである。前記１０１がＧ反射のダイクロイツクフィルタである場合は、明らかなように、Ｇ信号用の光電変換部１００１のＧの色フィルタは不要である。
　【００５３】図９（ａ），（ｂ）は図８の実施例で用いる色フィルタ配置例を示すが、輝度信号と色信号を２板から生成すればよいことから、この色フィルタ配置はこれだけに限らないことはいうまでもない。また、ハーフミラーで光電変換部の一方から輝度信号他方から色信号を取ってもよいことは明らかである。この２板式の画素列走査は前記の表に示したどの走査例を用いてもよいが、特に、Ｎｏ．５の走査例が最適である。
　【００５４】図１０は３板式の実施例を示す。図１０において、９２はレンズ、１０１は分光系であり、図示のようなＲ，Ｇ，Ｂの分解系が望ましい。１００１，１００３，１００４はそれぞれＧ，Ｂ，Ｒ信号用の光電変換部であり、その各光電変換部の走査は前記の表に示す走査例でよいことは明らかである。
　【００５５】上記２板式，３板式のいずれにおいても、プリズムによって分光する例を示したが、リレーレンズ系でもよいことはいうまでもない。また色フィルタ配置も輝度信号および色信号を生成するものであれば、どのような配置でも可能である。
　【００５６】なお、本発明の、色フィルタ、分光系および光電変換部配置は、実施例だけに限定されるものではない。
　【００５７】また以上の説明において、シャッタボタンを押せば自動的にビデオカメラモードから電子カメラモードに変更されてフレーム画記録が行なわれるとして説明したが、不図示のスイッチなどの操作により電子カメラモードからビデオカメラモードに変換されてフィールド画記録が行なわれるようにしてもよい。また、図には特に示さなかったが、ビデオカメラモードでは、例えば電子ビューファインダなどにより、撮影アングルなどを決めればよいが、ビデオカメラモードとして通常使用しない場合があるため、レンズにＴＩＬなどの手段を付加しておいて、ビデオカメラモードのときは動作させず、電子カメラ単独で使用してもよいものである。
　【００５８】
　【発明の効果】以上の説明から明らかなように、本発明によれば、モニタ動作を行っているときに、シャッタスイッチを押せば自動的にビデオカメラモードから電子カメラモードに変更されてフレーム画記録が行われ、その後、再びビデオカメラモードに戻ってモニタ動作を行うことができるので、シャッタスイッチを操作するだけで、高画質な静止画を得ることができ、使い勝手が向上する効果がある。
【図面の簡単な説明】
　【図１】従来のカラー撮像装置に用いられる色フィルタ配置図。
　【図２】従来の電子カメラのブロック図。
　【図３】本発明の第１実施例を示すブロック図。
　【図４】図３の実施例の動作を説明するための波形図。
　【図５】本発明の第２実施例を示す要部のブロック図。
　【図６】本発明の実施に好適な色フィルタ配置図。
　【図７】本発明の実施に好適な色フィルタ配置図。
　【図８】２板式の実施例を示す配置図。
　【図９】（ａ），（ｂ）は図８の装置に用いるのに好適な色フィルタ配置図。
　【図１０】３板式の実施例を示す配置図である。
　【符号の説明】
　１…光電変換部、
　２…１Ｈ遅延線、
　３…信号処理回路
　４…記録回路、
　５…記録ヘッド、
　６…モニタ、
　７…制御回路、
　８…駆動回路、
　９１…レンズ、
　９２…シャッタスイッチ、
　１０…分光系、
　８１…静止画時駆動回路、
　８２…動画時駆動回路、
　３１（３１ａ，３１ｂ）…信号処理回路、
　１００１，１００２，１００３，１００４…光電変換部、
　７０１，７０２…電子スイッチ。